(57)【要約】【課題】手摺りを簡単に能率よく、かつ安定よく取り付けることができる手摺り支持具を提供することである。【解決手段】手摺りＡの外周に沿う円弧状の一対のクランプアーム２ａ、２ｂの一端部に連結片３ａ、３ｂを形成し、各連結片３ａ、３ｂをピン４で連結して一対のクランプアーム２ａ、２ｂが開閉可能なクランプ１を形成する。一対のクランプアーム２ａ、２ｂを板ばね２０によって閉鎖する方向に向けて押圧する。各連結片３ａ、３ｂの外側端部に係合片８を形成する。壁面に取り付けられるブラケット１０の一端面に連結片３ａ、３ｂの挿入孔１４を形成し、その挿入孔１４の内周に係合段部１６を設ける。クランプ１の一対のクランプアーム２ａ、２ｂで手摺りＡを挟持し、一対の連結片３ａ、３ｂを挿入孔１４に挿入して係合片８を係合段部１６に係合させ、その係合によりクランプ１とブラケット１０とを連結状態に保持して、手摺りＡの取付けの安定化を図る。【選択図】図１
2006257756.tif 000002
【特許請求の範囲】
【請求項１】
棒状手摺りの外周に沿う円弧状の一対のクランプアームを有し、各クランプアームの一端部に形成された連結片を回転自在に連結して一対のクランプアームを開閉自在としたクランプと、そのクランプの一対のクランプアームを閉じる方向に押圧する板ばねと、ほぼ９０°の折曲げ部を有し、その一端が上向きとなるようにして他端を壁面に取り付けるブラケットとから成り、前記クランプにおける各連結片の外側端部に係合片を形成し、前記ブラケットにはその一端面で開口する連結片挿入用の挿入孔を設け、その挿入孔の内周に手摺りを挟持する一対のクランプアームがブラケットの一端面で支持される状態で前記係合片が係合する係合段部を形成した手摺り支持具。
【請求項２】
前記各連結片に一対のクランプアームが手摺りを挟持する状態で互いに一致するピン孔を形成し、前記ブラケットの一端部には前記ピン孔と対応するねじ孔を設け、そのねじ孔にねじ係合された取付ねじの先端部を前記ピン孔に挿入してクランプを固定する請求項１に記載の手摺り支持具。
【請求項３】
前記挿入孔の内周に、その挿入孔に対する連結片の挿入時に前記係合片を接触案内して一対のクランプアームを開放させるテーパ面を形成した請求項１又は２に記載の手摺り支持具。
【発明の詳細な説明】
【技術分野】
【０００１】
この発明は、丸棒から成る手摺りの取付け時に使用される手摺り支持具に関するものである。
【背景技術】
【０００２】
壁面に沿って手摺りを取り付ける場合、壁面に手摺り支持具を取り付けて手摺りを支持するようにしている。
【０００３】
この種の手摺り支持具として、ほぼ９０°の折曲げ部を有するブラケットの一端に取付座を設け、他端に支持片を一体に形成し、上記取付座を壁面にねじ止めし、他端の支持片で手摺りを支持し、前記支持片の下方から手摺りにねじ込む木ねじの締付けによって手摺りを固定するようにしたものが知られている。
【０００４】
しかしながら、上記手摺り支持具においては、支持片の下方から手摺りに木ねじをねじ込む必要があるため、手摺りの取付けに非常に手間がかかるという不都合がある。
【０００５】
上記のような不都合を解消するため、ほぼ９０°の折曲げ部を有するブラケットを壁面に取付け、そのブラケットの上端部に一対のクランプアームを開閉自在に連結したクランプを設け、そのクランプの一対のクランプアームを開放させた状態でその上に手摺りを乗せ、締付けねじの回転操作により一対のクランプアームを閉じる方向に揺動させて、一対のクランプアームで手摺りを挟持するようにした手摺り支持具が提案されている。
【０００６】
上記手摺り支持具においては、手摺りに何も加工を施す必要がなく、締付けねじの回転操作によって手摺りを固定することができるため、手摺りの取付けが容易であるという特徴を有する。
【発明の開示】
【発明が解決しようとする課題】
【０００７】
ところで、締付けねじを有する上記手摺り支持具においては、締付けねじに弛みが生じ易く、その弛みによって手摺りにがたつきが生じ、安定した取付けを長期にわたって維持することができないという不都合がある。
【０００８】
この発明の課題は、手摺りを簡単に能率よく取り付けることができると共に、安定した取付けを長期にわたって維持することができるようにした手摺り支持具を提供することである。
【課題を解決するための手段】
【０００９】
上記の課題を解決するため、この発明においては、棒状手摺りの外周に沿う円弧状の一対のクランプアームを有し、各クランプアームの一端部に形成された連結片を回転自在に連結して一対のクランプアームを開閉自在としたクランプと、そのクランプの一対のクランプアームを閉じる方向に押圧する板ばねと、ほぼ９０°の折曲げ部を有し、その一端が上向きとなるようにして他端を壁面に取り付けるブラケットとから成り、前記クランプにおける各連結片の外側端部に係合片を形成し、前記ブラケットにはその一端面で開口する連結片挿入用の挿入孔を設け、その挿入孔の内周に手摺りを挟持する一対のクランプアームがブラケットの一端面で支持される状態で前記係合片が係合する係合段部を形成した構成を採用したのである。
【００１０】
上記の構成から成る手摺り支持具においては、ブラケットを壁面にねじ止めし、そのブラケットの上端部に支持されたクランプの一対のクランプアームを板ばねの弾性に抗して開放し、その上に棒状手摺りを載置したのち、一対のクランプアームを板ばねの弾性により閉じる方向に揺動させて一対のクランプアームで手摺りを挟持し、かつ係合片を係合段部に係合させてブラケットにクランプを連結する。あるいは、一対のクランプアームで手摺りを挟持したのち、連結片をブラケットの挿入孔に挿入し、係合片を係合段部に係合させてブラケットにクランプを連結する。
【００１１】
ここで、各連結片に一対のクランプアームが手摺りを挟持する状態で互いに一致するピン孔を形成し、前記ブラケットの一端部には前記ピン孔と対応するねじ孔を設け、そのねじ孔にねじ係合された取付ねじの先端部を前記ピン孔に挿入してクランプを固定することにより、一対のクランプアームを閉鎖状態にロックすることができると共に、係合片を係合段部に係合する状態に保持することができるため、手摺りを取付け状態に確実に保持することができる。
【００１２】
また、前記挿入孔の内周に、その挿入孔に対する連結片の挿入時に前記係合片を接触案内して一対のクランプアームを開放させるテーパ面を形成することにより、挿入孔に連結片を挿入する簡単な作業によって係合片を係合段部に自動的に係合させることができる。
【発明の効果】
【００１３】
上記のように、この発明においては、ブラケットの挿入孔にクランプの連結片を挿入することによってブラケットにクランプを取り付けることができると共に、そのクランプの一対のクランプアームを板ばねの押圧によって閉鎖方向に揺動させることによって手摺りを挟持することができるため、手摺りをきわめて簡単に能率よく取り付けることができる。
【００１４】
また、一対のクランプアームは板ばねによって閉鎖方向に押圧されているため、安定した取付け状態を長期にわたって維持することができる。
【００１５】
さらに、ブラケットのねじ孔にねじ係合した取付ねじの先端部を連結片に形成されたピン孔に挿入することによって一対のクランプアームを閉鎖状態にロックすることができると共に、係合片を係合段部に係合する状態に保持することができるため、手摺りを安定した取付け状態に確実に保持することができる。
【発明を実施するための最良の形態】
【００１６】
以下、この発明の実施の形態を図面に基づいて説明する。図示のように、この発明に係る手摺り支持具は、丸棒状の手摺りＡを挟持するクランプ１と、そのクランプ１を支持するブラケット１０とを有している。
【００１７】
クランプ１は、手摺りＡの外周に沿う円弧状の一対のクランプアーム２ａ、２ｂの各一端部に左右一対の連結片３ａ、３ｂを設け、各連結片３ａ、３ｂをピン４で連結して一対のクランプアーム２ａ、２ｂを開閉自在としている。
【００１８】
一対のクランプアーム２ａ、２ｂのそれぞれ内面にはクッション材５が取付けられている。また、一対のクランプアーム２ａ、２ｂの開閉中心側の端部には外周面から内周面に至る孔６が形成されている。
【００１９】
左右一対の連結片３ｂ間にはＵ字形の板ばね２０が設けられている。板ばね２０の両端部は一対のクランプアーム２ａ、２ｂに形成された前記孔６に挿入され、その板ばね２０の両端部に設けられた折曲げ片２１が各孔６の内面に形成された段部６ａに係合している。板ばね２０は一対のクランプアーム２ａ、２ｂを閉じる方向に向けて押圧している。
【００２０】
一対のクランプアーム２ａ、２ｂに形成された連結片３ａ、３ｂにはピン孔７、７が設けられている。ピン孔７、７は一対のクランプアーム２ａ、２ｂが手摺りＡを挟持する状態で一致するようになっている。また、各連結片３ａ、３ｂの外側端部には係合片８が形成されている。
【００２１】
ブラケット１０はほぼ９０°の折曲げ部１０ａを有している。このブラケット１０は壁面Ｗの内部に埋設されたアンカＢにねじ込まれるビスＣの締付けによって壁面Ｗに固定される。このとき、ブラケット１０は一端が上向きとなる状態で他端が壁面Ｗに取り付けられる。ビスＣの頭部を隠蔽するため、ブラケット１０を内部中空とし、そのブラケット１０にカバー１１で閉鎖される窓１２を設け、その窓１２からビスＣを締付るようにしている。
【００２２】
ブラケット１０の上向きとなる一端面にはクランプ１の各クランプアーム２ａ、２ｂの外周に沿う円弧面１３が形成され、その円弧面１３にクランプ１の一対の連結片３ａ、３ｂが挿入される挿入孔１４が形成されている。挿入孔１４の内周には、一対の連結片３ａ、３ｂの挿入時に係合片８を接触案内して一対のクランプアーム２ａ、２ｂを開放させるテーパ面１５と、そのテーパ面１５の下部に前記係合片８が係合可能な係合段部１６とが形成されている。係合片８は、一対のクランプアーム２ａ、２ｂが手摺りＡを挟持する閉鎖状態で係合段部１６に係合して、連結片３ａ、３ｂが挿入孔１４から抜け出るのを防止する。
【００２３】
また、ブラケット１０の一端部には連結片３ａ、３ｂに形成された前記ピン孔７と対応する位置にねじ孔１７が形成され、そのねじ孔１７にねじ係合された取付ねじ１８の先端部はピン孔７に挿入可能とされている。
【００２４】
実施の形態で示す手摺り支持具は上記の構成から成り、手摺りＡの取付けに際しては、壁面Ｗにブラケット１０を固定し、そのブラケット１０の一端部にクランプ１を連結させた状態で手摺りＡを取り付けるようにしてもよく、あるいは、手摺りＡにクランプ１を取り付けた状態で、そのクランプ１をブラケット１０に連結するようにしてもよい。
【００２５】
ブラケット１０の一端部にクランプ１を連結させた状態での手摺りＡの取付けに際しては、一対のクランプアーム２ａ、２ｂを図３に示すように開放し、その上に手摺りＡを載置したのち、一対のクランプアーム２ａ、２ｂを板ばね２０の弾性により閉鎖させ、その一対のクランプアーム２ａ、２ｂで手摺りＡを挟持する。
【００２６】
ここで、一対のクランプアーム２ａ、２ｂを開放すると、係合片８は係合段部１６から外れ、一対のクランプアーム２ａ、２ｂが板ばね２０の弾力により閉鎖方向に揺動して手摺りＡを挟持すると、係合片８が係合段部１６に係合し、その係合によってクランプ１が上方に移動するのが防止される。
【００２７】
一方、手摺りＡにクランプ１を予め取付け、そのクランプ１をブラケット１０に連結するに際しては、連結片３ａ、３ｂをブラケット１０の挿入孔１４に挿入する。その挿入時、テーパ面１５に対する係合片８の接触移動によって一対のクランプアーム２ａ、２ｂは開放し、その一対のクランプアーム２ａ、２ｂが円弧面１３で支持されると、板ばね２０の弾性により一対のクランプアーム２ａ、２ｂが閉鎖方向に揺動して手摺りＡを挟持する。また、係合片８は係合段部１６に係合してクランプ１が上方に移動するのを防止する。
【００２８】
上記のようにしてブラケット１０により手摺りＡを支持すると、連結片３ａ、３ｂに形成されたピン孔７は一致する。そこで、ブラケット１０の一端部に設けられたねじ孔１７に取付ねじ１８をねじ込み、その取付ねじ１８をピン孔７に挿入すると、一対のクランプアーム２ａ、２ｂは手摺りＡを挟持する閉鎖状態でロックされると共に、係合片８が係合段部１６に係合する状態に保持されるため、手摺りＡを取付け状態に確実に保持することができる。
【図面の簡単な説明】
【００２９】
【図１】この発明に係る手摺り支持具の実施形態を示す縦断側面図
【図２】図１に示す手摺り支持具の一部切欠正面図
【図３】図１に示す手摺り支持具のクランプの開放状態を示す断面図
【図４】ブラケットとクランプの連結部を示す断面図
【符号の説明】
【００３０】
Ａ  手摺り
Ｗ  壁面
１  クランプ
２ａ、２ｂ  クランプアーム
３ａ、３ｂ  連結片
７  ピン孔
８  係合片
１０  ブラケット
１０ａ  折曲げ部
１４  挿入孔
１５  テーパ面
１６  係合段部
１７  ねじ孔
１８  取付ねじ
２０  板ばね
【図１】
2006257756.tif 000003
【図２】
2006257756.tif 000004
【図３】
2006257756.tif 000005
【図４】
2006257756.tif 000006